(57)【特許請求の範囲】
【請求項１】
記録媒体に記録された画像情報を読取る読取手段と、
この読取手段によって読取られた画像情報（以下、読取画像情報という）を記録用紙に記録する記録手段とを備え、
この通信端末装置の外部に設けられたコンピュータと通信可能であり、前記読取画像情報を前記コンピュータへ出力し、その出力した読取画像情報を前記コンピュータに備えられた記憶手段に記憶可能な通信端末装置であって、
この通信端末装置から出力された前記読取画像情報を入力して前記記憶手段に記憶するための記憶制御プログラムが前記コンピュータにおいて立ち上げられているか否かをチェックするためのチェック信号を、前記読取手段が記録媒体に記録された画像情報の読取りを開始する前に前記コンピュータへ出力するチェック信号出力手段と、
前記記憶制御プログラムが立ち上がり、この通信端末装置から出力された前記読取画像情報を前記記憶手段に記憶できる状態になっていることを示す記憶可能信号を、前記チェック信号を入力した前記コンピュータから入力すると、前記読取手段および記録手段をそれぞれ駆動できる状態になっているか否かを判定する判定手段と、
この判定手段において肯定判定した場合に前記読取手段を駆動し、その読取手段によって読取られた記録媒体の画像情報を前記コンピュータへ出力して前記記憶手段に記憶させる情報記憶制御手段と、
前記記憶手段から読出され、前記コンピュータから出力された読取画像情報を入力し、その入力した読取画像情報を前記記録手段によって記録用紙に記録する記録制御手段と、
を有するコピー手段を備え、
前記記録手段が前記読取手段によって読取られたカラーの画像情報をカラーで記録用紙に記録するカラーコピー機能、または、前記記録手段が前記読取手段によって読取られた白黒の画像情報を白黒で記録用紙に記録する白黒コピー機能に切替えるための切替手段により前記カラーコピー機能に切替えられた場合に、前記コピー手段を実行することを特徴とする通信端末装置。
【請求項２】
前記判定手段において肯定判定した場合に、前記読取手段および記録手段をそれぞれ駆動できる状態になっていることを示すコピー可能信号を前記コンピュータへ出力するコピー可能信号出力手段を備えており、
前記情報記憶制御手段は、前記コピー可能信号出力手段が前記コピー可能信号を前記コンピュータへ出力してから前記読取手段を駆動し、その読取手段によって読取られた記録媒体の画像情報を前記コンピュータへ出力して前記記憶手段に記憶させることを特徴とする請求項１に記載の通信端末装置。
【請求項３】
前記記憶制御プログラムが立ち上がっておらず、前記通信端末装置から出力された読取画像情報を前記記憶手段に記憶できる準備ができていないことを示す記憶未準備信号を、前記チェック信号を入力した前記コンピュータから入力した場合に、前記コンピュータにおいて前記準備ができていないことを報知する報知手段を備えたことを特徴とする請求項１または請求項２に記載の通信端末装置。
【請求項４】
前記記録媒体が前記読取手段の読取部分にあることを検出する原稿センサを備え、
前記チェック信号出力手段は、前記原稿センサにより前記記録媒体が前記読取手段の読取部分にあることが検出された場合に前記チェック信号を前記コンピュータへ出力することを特徴とする請求項１ないし請求項３のいずれか１つに記載の通信端末装置。
【請求項５】
前記情報記憶制御手段を実行しているときに前記読取手段による画像情報の読取完了を検出すると、前記コンピュータへ画像情報の読取完了を示す読取完了信号を出力し、次に前記コンピュータへ画像情報の読出命令を出力する読出命令手段を備えており、
前記記録制御手段は、
前記読出命令を入力することにより前記記憶手段から読出され、前記コンピュータから出力された読取画像情報を入力し、その入力した読取画像情報を前記記録手段によって記録用紙に記録することを特徴とする請求項１ないし請求項４のいずれか１つに記載の通信端末装置。
【請求項６】
記録媒体に記録された画像情報を読取る読取手段と、
この読取手段によって読取られた画像情報（以下、読取画像情報という）を記録用紙に記録する記録手段とを備え、
この通信端末装置の外部に設けられたコンピュータと通信可能であり、前記読取画像情報を前記コンピュータへ出力し、その出力した読取画像情報を前記コンピュータに備えられた記憶手段に記憶可能な通信端末装置を制御するためのコンピュータプログラムが記録されたコンピュータ読み取り可能な記憶媒体であって、
この通信端末装置から出力された前記読取画像情報を入力して前記記憶手段に記憶するための記憶制御プログラムが前記コンピュータにおいて立ち上げられているか否かをチェックするためのチェック信号を、前記読取手段が記録媒体に記録された画像情報の読取りを開始する前に前記コンピュータへ出力するチェック信号出力処理と、
前記記憶制御プログラムが立ち上がり、この通信端末装置から出力された前記読取画像情報を前記記憶手段に記憶できる状態になっていることを示す記憶可能信号を、前記チェック信号を入力した前記コンピュータから入力すると、前記読取手段および記録手段をそれぞれ駆動できる状態になっているか否かを判定する判定処理と、
この判定処理において肯定判定した場合に前記読取手段を駆動し、その読取手段によって読取られた記録媒体の画像情報を前記コンピュータへ出力して前記記憶手段に記憶させる情報記憶制御処理と、
前記記憶手段から読出され、前記コンピュータから出力された読取画像情報を入力し、その入力した読取画像情報を前記記録手段によって記録用紙に記録する記録制御処理と、
を有するコピー処理を備え、
前記記録手段が前記読取手段によって読取られたカラーの画像情報をカラーで記録用紙に記録するカラーコピー機能、または、前記記録手段が前記読取手段によって読取られた白黒の画像情報を白黒で記録用紙に記録する白黒コピー機能に切替えるための切替処理により前記カラーコピー機能に切替えられた場合に、前記コピー処理を実行するためのコンピュータプログラムが記録されたことを特徴とするコンピュータ読み取り可能な記憶媒体。
【発明の詳細な説明】
【０００１】
【発明の属する技術分野】
本発明は、ファクシミリ装置に代表される通信端末装置およびその通信端末装置を制御するためのコンピュータプログラムが格納されたコンピュータ読み取り可能な記憶媒体に関し、記憶容量が小さい通信端末装置でたとえばカラーの画像情報などのデータ量の多い画像情報を記録する場合に発生する問題を解決するものである。
【０００２】
【従来の技術】
従来、上記通信端末装置として、たとえば、カラーコピーの機能を備えたファクシミリ装置が知られている。このファクシミリ装置は、カラーコピーを行う場合、原稿に記録されたカラーの画像情報を内蔵されたイメージスキャナによって読取り、その読取った画像情報を内蔵されたメモリに一時的に格納し、その格納された画像情報を内蔵された記録装置によって記録用紙に記録する。
【０００３】
【発明が解決しようとする課題】
ところで、カラーの画像情報は、白黒の画像情報よりも情報量が多いため、カラーコピーを行う場合に、イメージスキャナで読取った原稿の画像情報を一時的に格納するためには、記憶容量の大きいメモリが必要となる。したがって、上記従来のファクシミリ装置では、メモリのコストが高くなるという問題がある。
【０００４】
そこで、本発明は、再生すべき情報を記憶するための記憶容量の増大が不要な通信端末装置および記憶媒体を実現することを目的とする。
【０００５】
【課題を解決するための手段】
本発明は、上記目的を達成するため、請求項１に記載の発明では、記録媒体に記録された画像情報を読取る読取手段と、この読取手段によって読取られた画像情報（以下、読取画像情報という）を記録用紙に記録する記録手段とを備え、この通信端末装置の外部に設けられたコンピュータと通信可能であり、前記読取画像情報を前記コンピュータへ出力し、その出力した読取画像情報を前記コンピュータに備えられた記憶手段に記憶可能な通信端末装置であって、この通信端末装置から出力された前記読取画像情報を入力して前記記憶手段に記憶するための記憶制御プログラムが前記コンピュータにおいて立ち上げられているか否かをチェックするためのチェック信号を、前記読取手段が記録媒体に記録された画像情報の読取りを開始する前に前記コンピュータへ出力するチェック信号出力手段と、前記記憶制御プログラムが立ち上がり、この通信端末装置から出力された前記読取画像情報を前記記憶手段に記憶できる状態になっていることを示す記憶可能信号を、前記チェック信号を入力した前記コンピュータから入力すると、前記読取手段および記録手段をそれぞれ駆動できる状態になっているか否かを判定する判定手段と、この判定手段において肯定判定した場合に前記読取手段を駆動し、その読取手段によって読取られた記録媒体の画像情報を前記コンピュータへ出力して前記記憶手段に記憶させる情報記憶制御手段と、前記記憶手段から読出され、前記コンピュータから出力された読取画像情報を入力し、その入力した読取画像情報を前記記録手段によって記録用紙に記録する記録制御手段と、を有するコピー手段を備え、前記記録手段が前記読取手段によって読取られたカラーの画像情報をカラーで記録用紙に記録するカラーコピー機能、または、前記記録手段が前記読取手段によって読取られた白黒の画像情報を白黒で記録用紙に記録する白黒コピー機能に切替えるための切替手段により前記カラーコピー機能に切替えられた場合に、前記コピー手段を実行するという技術的手段を採用する。
【０００６】
請求項２に記載の発明では、請求項１に記載の通信端末装置において、前記判定手段において肯定判定した場合に、前記読取手段および記録手段をそれぞれ駆動できる状態になっていることを示すコピー可能信号を前記コンピュータへ出力するコピー可能信号出力手段を備えており、前記情報記憶制御手段は、前記コピー可能信号出力手段が前記コピー可能信号を前記コンピュータへ出力してから前記読取手段を駆動し、その読取手段によって読取られた記録媒体の画像情報を前記コンピュータへ出力して前記記憶手段に記憶させるという技術的手段を採用する。
【０００７】
【０００８】
請求項３に記載の発明では、請求項１または請求項２に記載の通信端末装置において、前記記憶制御プログラムが立ち上がっておらず、前記通信端末装置から出力された読取画像情報を前記記憶手段に記憶できる準備ができていないことを示す記憶未準備信号を、前記チェック信号を入力した前記コンピュータから入力した場合に、前記コンピュータにおいて前記準備ができていないことを報知する報知手段を備えたという技術的手段を採用する。
【０００９】
請求項４に記載の発明では、請求項１ないし請求項３のいずれか１つに記載の通信端末装置において、前記記録媒体が前記読取手段の読取部分にあることを検出する原稿センサを備え、前記チェック信号出力手段は、前記原稿センサにより前記記録媒体が前記読取手段の読取部分にあることが検出された場合に前記チェック信号を前記コンピュータへ出力するという技術的手段を採用する。
【００１０】
請求項５に記載の発明では、請求項１ないし請求項４のいずれか１つに記載の通信端末装置において、前記情報記憶制御手段を実行しているときに前記読取手段による画像情報の読取完了を検出すると、前記コンピュータへ画像情報の読取完了を示す読取完了信号を出力し、次に前記コンピュータへ画像情報の読出命令を出力する読出命令手段を備えており、前記記録制御手段は、前記読出命令を入力することにより前記記憶手段から読出され、前記コンピュータから出力された読取画像情報を入力し、その入力した読取画像情報を前記記録手段によって記録用紙に記録するという技術的手段を採用する。
【００１１】
請求項６に記載の発明では、記録媒体に記録された画像情報を読取る読取手段と、この読取手段によって読取られた画像情報（以下、読取画像情報という）を記録用紙に記録する記録手段とを備え、この通信端末装置の外部に設けられたコンピュータと通信可能であり、前記読取画像情報を前記コンピュータへ出力し、その出力した読取画像情報を前記コンピュータに備えられた記憶手段に記憶可能な通信端末装置を制御するためのコンピュータプログラムが記録されたコンピュータ読み取り可能な記憶媒体であって、この通信端末装置から出力された前記読取画像情報を入力して前記記憶手段に記憶するための記憶制御プログラムが前記コンピュータにおいて立ち上げられているか否かをチェックするためのチェック信号を、前記読取手段が記録媒体に記録された画像情報の読取りを開始する前に前記コンピュータへ出力するチェック信号出力処理と、前記記憶制御プログラムが立ち上がり、この通信端末装置から出力された前記読取画像情報を前記記憶手段に記憶できる状態になっていることを示す記憶可能信号を、前記チェック信号を入力した前記コンピュータから入力すると、前記読取手段および記録手段をそれぞれ駆動できる状態になっているか否かを判定する判定処理と、この判定処理において肯定判定した場合に前記読取手段を駆動し、その読取手段によって読取られた記録媒体の画像情報を前記コンピュータへ出力して前記記憶手段に記憶させる情報記憶制御処理と、前記記憶手段から読出され、前記コンピュータから出力された読取画像情報を入力し、その入力した読取画像情報を前記記録手段によって記録用紙に記録する記録制御処理と、を有するコピー処理を備え、前記記録手段が前記読取手段によって読取られたカラーの画像情報をカラーで記録用紙に記録するカラーコピー機能、または、前記記録手段が前記読取手段によって読取られた白黒の画像情報を白黒で記録用紙に記録する白黒コピー機能に切替えるための切替処理により前記カラーコピー機能に切替えられた場合に、前記コピー処理を実行するためのコンピュータプログラムが記録されたことを特徴とするコンピュータ読み取り可能な記憶媒体という技術的手段を採用する。
【００１２】
【作用】
請求項１に記載の発明では、記録媒体に記録された画像情報を読取る読取手段によって読取られた画像情報を、この通信端末装置の外部に設けられたコンピュータへ出力し、そのコンピュータに備えられた記憶手段へ記憶させる。そして、その記憶手段から読出され、コンピュータから出力された画像情報を記録手段によって記録用紙に記録する。つまり、請求項１に記載の発明によれば、読取手段によって読取られた画像情報を通信端末装置内に記憶しないで外部に設けられたコンピュータの記憶手段に記憶させ、その記憶手段に記憶された画像情報を読出して記録用紙に記録することができるため、通信端末装置内に設けられた記憶手段の記憶容量を上記画像情報の記憶のために増大させる必要のない通信端末装置を実現できる。特に、記録手段が読取手段によって読取られたカラーの画像情報をカラーで記録用紙に記録するカラーコピー機能、または、記録手段が読取手段によって読取られた白黒の画像情報を白黒で記録用紙に記録する白黒コピー機能に切替えるための切替手段によりカラーコピー機能に切替えられた場合に、コピー手段を実行する。つまり、発明が解決しようとする課題の欄で述べたように、カラーの画像情報は、白黒の画像情報よりも情報量が多いため、前述した従来の問題が発生するが、カラーでコピーする場合は、読取手段によって読取られたカラーの画像情報をコンピュータの記憶手段に記憶させることができるため、上記問題を解決することができる。
【００１３】
特に、請求項２に記載の発明では、読取手段および記録手段をそれぞれ駆動できる状態になっていることを示すコピー可能信号をコンピュータへ出力してから読取手段を駆動し、その読取手段によって読取られた記録媒体の画像情報をコンピュータへ出力して記憶手段に記憶させる。つまり、コンピュータは、コピー可能信号を入力することにより、通信端末装置が読取手段および記録手段をそれぞれ駆動できる状態になっていることを検知することができる。
【００１４】
【００１５】
さらに、請求項３に記載の発明では、記憶制御プログラムが立ち上がっておらず、通信端末装置から出力された読取画像情報を記憶手段に記憶できる準備ができていないことを示す記憶未準備信号を、チェック信号を入力したコンピュータから入力した場合に、コンピュータにおいて前記準備ができていないことを報知する報知手段を備える。つまり、この通信端末装置を使用する者は、上記報知手段による報知によって、コンピュータ側が画像情報を記憶手段へ記憶する準備ができていないことを通信端末装置側において知ることができるため、非常に便利である。
【００１６】
さらに、請求項４に記載の発明では、記録媒体が読取手段の読取部分にあることを検出する原稿センサを備え、チェック信号出力手段は、その原稿センサにより記録媒体が読取手段の読取部分にあることが検出された場合にチェック信号をコンピュータへ出力する。
【００１７】
さらに、請求項５に記載の発明では、情報記憶制御手段を実行しているときに読取手段による画像情報の読取完了を検出すると、コンピュータへ画像情報の読取完了を示す読取完了信号を出力し、次にコンピュータへ画像情報の読出命令を出力する読出命令手段を実行する。そして、読出命令を入力することにより記憶手段から読出され、コンピュータから出力された読取画像情報を入力し、その入力した読取画像情報を記録手段によって記録用紙に記録する。
【００１８】
さらに、請求項６に記載の発明のように、記録媒体に記録された画像情報を読取る読取手段と、この読取手段によって読取られた画像情報（以下、読取画像情報という）を記録用紙に記録する記録手段とを備え、この通信端末装置の外部に設けられたコンピュータと通信可能であり、前記読取画像情報を前記コンピュータへ出力し、その出力した読取画像情報を前記コンピュータに備えられた記憶手段に記憶可能な通信端末装置を制御するためのコンピュータプログラムが記録されたコンピュータ読み取り可能な記憶媒体であって、この通信端末装置から出力された前記読取画像情報を入力して前記記憶手段に記憶するための記憶制御プログラムが前記コンピュータにおいて立ち上げられているか否かをチェックするためのチェック信号を、前記読取手段が記録媒体に記録された画像情報の読取りを開始する前に前記コンピュータへ出力するチェック信号出力処理と、前記記憶制御プログラムが立ち上がり、この通信端末装置から出力された前記読取画像情報を前記記憶手段に記憶できる状態になっていることを示す記憶可能信号を、前記チェック信号を入力した前記コンピュータから入力すると、前記読取手段および記録手段をそれぞれ駆動できる状態になっているか否かを判定する判定処理と、この判定処理において肯定判定した場合に前記読取手段を駆動し、その読取手段によって読取られた記録媒体の画像情報を前記コンピュータへ出力して前記記憶手段に記憶させる情報記憶制御処理と、前記記憶手段から読出され、前記コンピュータから出力された読取画像情報を入力し、その入力した読取画像情報を前記記録手段によって記録用紙に記録する記録制御処理と、を有するコピー処理を備え、前記記録手段が前記読取手段によって読取られたカラーの画像情報をカラーで記録用紙に記録するカラーコピー機能、または、前記記録手段が前記読取手段によって読取られた白黒の画像情報を白黒で記録用紙に記録する白黒コピー機能に切替えるための切替処理により前記カラーコピー機能に切替えられた場合に、前記コピー処理を実行するためのコンピュータプログラムが記録されたことを特徴とするコンピュータ読み取り可能な記憶媒体を用いることにより、上記請求項１に記載の通信端末装置を実現できる。つまり、上記通信端末装置は、たとえば、後述する発明の実施の形態に記載するように、通信端末装置に内蔵されたＣＰＵ、あるいは、通信端末装置に接続されたコンピュータによって制御されることから、上記記憶媒体としてのＲＯＭを設け、もしくは、上記記憶媒体に記録されているコンピュータプログラムをコンピュータにインストールすることによって、請求項１に記載の発明を実施できるからである。
【００１９】
【発明の実施の形態】
以下、本発明の通信端末装置の一実施形態について図を参照して説明する。図１は、本発明実施形態の通信端末装置の外観を示す斜視図である。なお、以下の実施形態では、通信端末装置として、ファクシミリ、イメージスキャナ、コピーおよびプリンタなどの多機能を備えたマルチファンクションタイプの通信端末装置を代表に説明する。
【００２０】
通信端末装置１には、箱形状のハウジング２が備えられており、このハウジング２の上面前部には操作パネル３が設けられている。操作パネル３には、ファクシミリデータの送信先のＦＡＸ番号やコピー枚数などを入力するための「０」〜「９」のテンキー３ａ、ファクシミリデータの送信開始やコピーを指示するためのスタートボタン３ｂ、ファクシミリデータの送信中止やコピー中止を指示するためのストップボタン３ｃ、短縮ＦＡＸ番号を用いてファクシミリデータを送信するための短縮ダイヤルボタン３ｄ、カラーコピーおよび白黒コピーを切替えるための切替ボタン３ｅ、原稿の読取精度やコピー濃度などを設定するための設定ボタン３ｆなどが設けられている。
【００２１】
操作パネル３の後部には、送信先のＦＡＸ番号の表示、送信状態、受信状態およびコピー状態などの動作状態の表示、この通信端末装置１に接続されたＰＣ（Ｐｅｒｓｏｎａｌ  Ｃｏｍｐｕｔｅｒ（図２に符号６４で示す））の動作状態の表示などを行う液晶表示部（ＬＣＤ）４が設けられており、この液晶表示部４の後部には、送信原稿やコピー原稿をセットする原稿セット部５が設けられている。この原稿セット部５にセットされた原稿は、ハウジング２の内部に設けられた紙送り機構（図示省略）によってハウジング２の内部へ搬送され、この搬送された原稿の記録部分は、本発明の読取手段たるイメージスキャナ（図２に符号４５で示す）によって読み取られる。この読取られた原稿は、操作パネル３の下方に設けられた原稿排出口６を介してトレイ６ａ上に積層可能に排出される。なお、液晶表示部４が、本発明の報知手段として機能する。
【００２２】
原稿セット部５の後部には、受信したファクシミリデータや記録データを記録するための記録用紙をセットする記録用紙セット部７が設けられている。この記録用紙セット部７には、複数枚の記録用紙を積層して収納可能な記録用紙カセット（図示省略）が着脱自在に取り付けられる。この記録用紙カセットに収納された記録用紙は、上記紙送り機構によってハウジング２の内部へ搬送され、この搬送された記録用紙は、本発明の記録手段たる記録ヘッド（図２に符号２０で示す）によってインクによる記録が行われる。この記録された記録用紙は、トレイ６ａの下方に設けられた記録用紙排出部８から排出される。また、ハウジング２の右側面下部には、この通信端末装置１の電源をＯＮ、ＯＦＦするための電源スイッチ９が設けられており、ハウジング２の前面右下部には、映像信号を入力するための映像入力端子１０が設けられている。なお、ハウジング２の左側面には、相手先と通話などを行うための受話器（図示省略）が設けられており、ハウジング２の背面には、通信ケーブルを接続する通信ケーブル接続端子（図示省略）と、ＰＣ６４と接続するための接続ケーブルを接続する接続端子とが設けられている。
【００２３】
次に、通信端末装置１の主な制御系の構成について、それをブロックで示す図２を参照して説明する。通信端末装置１には、イメージスキャナ４５が原稿の画像情報を読取る場合の読取制御、記録ヘッド２０が記録用紙へ記録する場合の記録制御、ＰＣ６４間の情報の入出力制御、相手ファクシミリ（相手ＦＡＸ）６１間の通信制御などを行うＣＰＵ４０が備えられている。また、ＰＣ６４には、通信端末装置１との間で情報の入出力制御などを行うＣＰＵ６４ａと、通信端末装置１から出力された情報を記憶し、本発明の記憶手段として機能するＨＤＤ（Ｈａｒｄ  Ｄｉｓｋ  Ｄｒｉｖｅ  Ｕｎｉｔ）６４ｂとが備えられている。さらに、通信端末装置１には、相手ファクシミリ６１から送信され、本発明の受信手段たる通信用モデム６０により受信されたファクシミリデータ、あるいは、ＰＣ６４から出力され、インターフェース４１を介して入力された記録データを展開するゲートアレイ４２とを備えている。
【００２４】
ＣＰＵ４０とゲートアレイ４２とを接続するアドレスバスおよびデータバスには、ＣＰＵ４０により実行される各種制御プログラム、送信先のＦＡＸ番号などが記憶されているＲＯＭ４３と、ゲートアレイ４２に入力されたファクシミリデータ、または、記録データを蓄積するためのＲＡＭ４４とが接続されており、ＣＰＵ４０は、ＲＯＭ４３およびＲＡＭ４４との間で必要なデータの入出力を行う。また、図２に示すように、ゲートアレイ４２には、受信した各データをイメージデータとして一時的に記憶するイメージメモリ５４と、キャリッジ２９の移動速度を計測し、記録タイミングを決定するエンコーダセンサ５９とが接続されている。ゲートアレイ４２は、キャリッジ２９の移動にともない、エンコーダセンサ５９が出力した信号に基づいて記録クロック５７を生成する。さらに、ゲートアレイ４２には、ヘッドドライバＩＣ５８が接続されており、このヘッドドライバＩＣ５８は、ゲートアレイ４２から出力された記録データ５５、転送クロック５６および記録クロック５７に基づいて動作し、記録ヘッド２０を駆動する。
【００２５】
さらに、ＣＰＵ４０には、コピー用の記録用紙の有無を検出する記録用紙センサ５０と、原稿がイメージスキャナ４５の読取部分にあることを検出する原稿センサ５１と、キャリッジ２９がホームポジションにあることを検出するキャリッジ原点センサ５２と、キャリッジモータ１４を駆動するための第１のモータドライバ７０と、プラテンローラ回転用のラインフィードモータ４７を駆動するための第２のモータドライバ４６と、イメージスキャナモータ４８を駆動するための第３のモータドライバ４９と、各種の信号をＣＰＵ４０に与える操作パネル３と、液晶表示部４とが接続されている。
【００２６】
次に、本発明の特徴である、カラーコピーを行う場合に、通信端末装置１に備えられたＣＰＵ４０およびＰＣ６４に備えられたＣＰＵ６４ａによって実行される制御内容について図３ないし図５を参照して説明する。図３は、ＣＰＵ４０により実行される主制御の内容を示すメインフローチャートであり、図４は、図３のステップ３００の記録制御において実行される記憶再生処理の内容を示すフローチャートであり、図５は、ＣＰＵ６４ａによって実行される記憶制御の内容を示すフローチャートである。
【００２７】
最初に、ＣＰＵ４０によって実行される主制御の内容を図３を参照して説明する。ＣＰＵ４０は、通信端末装置１の電源スイッチ９がＯＮ側に倒され、電源が立ち上がったことを検出すると、初期設定を行う（ステップ１００）。また、ＣＰＵ４０は、初期設定を行った後、相手ファクシミリ６１との間で行うファクシミリ通信、電話通信などの通信制御と（ステップ２００）、コピー、相手ファクシミリ６１から受信したファクシミリデータの記録用紙への記録、ＰＣ６４から出力された記録データの記録用紙への記録などの記録制御と（ステップ３００）、液晶表示部４に前述した各種表示を行う表示制御と（ステップ４００）を必要に応じて行う。なお、ＣＰＵ４０が上記各制御を実行するためのコンピュータプログラムは、ＲＯＭ４３に格納されており、この場合のＲＯＭ４３が請求項６に記載の記憶媒体に対応する。
【００２８】
次に、カラーコピーを行う場合にＣＰＵ４０によって実行される記憶再生処理およびＣＰＵ６４ａによって実行される記憶処理について図４を参照して説明する。ＣＰＵ４０は、切替ボタン３ｅ（図１）によって白黒コピーを行う機能からカラーコピーを行う機能に切り替えられたと判定すると（ステップ３０２：Ｙｅｓ）、原稿センサ５１がＯＮしているか否か、つまり、カラーコピーを行う原稿が原稿セット部５にセットされているか否かを判定する（ステップ３０４）。そして、ＣＰＵ４０は、原稿がセットされていると判定した場合は（ステップ３０４：Ｙｅｓ）、イメージスキャナ４５で読取る画像情報をＰＣ６４に備えられたＨＤＤ６４ｂに記憶するためのアプリケーションプログラム（以下、記憶制御プログラムと称する）が立ち上げられているか否かをチェックするためのチェック信号をＰＣ６４へ出力する（ステップ３０８）。また、ＣＰＵ４０は、原稿がセットされていないと判定した場合は（ステップ３０４：Ｎｏ）、液晶表示部４に、たとえば、「原稿をセットしてください。」などの原稿未セットであることを示すメッセージを表示する（ステップ３０６）。
【００２９】
一方、ＰＣ６４に備えられたＣＰＵ６４ａは、通信端末装置１から上記ステップ３０８において出力されたチェック信号を入力したと判定すると（図５のステップ５０２：Ｙｅｓ）、記憶制御プログラムが立ち上がっているか否かを判定し（ステップ５０４）、記憶制御プログラムが立ち上がっていると判定した場合は（ステップ５０４：Ｙｅｓ）、通信端末装置１から出力される画像情報をＨＤＤに記憶できる状態になっていることを示す記憶可能信号を通信端末装置１へ出力する（ステップ５０８）。また、ＣＰＵ６４ａは、記憶制御プログラムが立ち上がっていないと判定した場合は（ステップ５０４：Ｎｏ）、画像情報を記憶する準備ができていないことを示す記憶未準備信号を通信端末装置１へ出力する（ステップ５０６）。そして、ＣＰＵ４０は、ＰＣ６４から応答のあった信号の種類を判定し（図４のステップ３１０）、応答のあった信号が記憶可能信号である場合は（ステップ３１０：記憶可能信号）、液晶表示部４に、たとえば、「ＰＣ側の記憶準備はできています。」などのメッセージを表示し（ステップ３１４）、応答のあった信号が記憶未準備信号である場合は（ステップ３１０：記憶未準備信号）、液晶表示部４に、たとえば、「ＰＣ側の記憶準備ができていません。」などのメッセージを表示する（ステップ３１２）。
【００３０】
このように、通信端末装置１からチェック信号をＰＣ６４へ出力することによって、イメージスキャナ４５で読取る画像情報をＰＣ６４に備えられたＨＤＤ６４ｂが記憶できる状態になっているか否かを通信端末装置１側で知ることができるため、非常に便利である。次にＣＰＵ４０は、カラーコピーの準備ができているか否か、つまり、イメージスキャナ４５および記録ヘッド２０を駆動できる状態になっているか否かを判定し（ステップ３１６）、カラーコピーの準備ができていると判定した場合は（ステップ３１６：Ｙｅｓ）、ＰＣ６４へカラーコピーの準備ができていることを示すカラーコピー可能信号を出力する（ステップ３２０）。また、ＣＰＵ４０は、カラーコピーの準備ができていないと判定した場合は（ステップ３１６：Ｎｏ）カラーコピーの準備ができていないことを示すカラーコピー未準備信号をＰＣ６４へ出力する（ステップ３１８）。
【００３１】
一方、ＣＰＵ６４ａは、通信端末装置１から応答のあった信号の種類を判定し（図５のステップ５１０）、応答のあった信号がカラーコピー可能信号である場合は（ステップ５１０：カラーコピー可能信号）、通信端末装置１から読取データを入力する準備を行い（ステップ５１４）、応答のあった信号がカラーコピー未準備信号である場合は（ステップ５１０：カラーコピー未準備信号）、ディスプレイ６４ｃに、たとえば、「通信端末装置側のカラーコピーの準備ができていません。」などのメッセージを表示する（ステップ５１２）。このように、通信端末装置側のカラーコピーの準備ができていないことをＰＣ６４側で知ることができるため、非常に便利である。そして、ＣＰＵ４０は、イメージスキャナ４５へ原稿の画像情報を読み取る読取命令を出力し（図４のステップ３２２）、イメージスキャナ４５によって読取られた画像情報をＰＣ６４へ出力する（ステップ３２４）。
【００３２】
一方、ＣＰＵ６４ａは、通信端末装置１から出力された画像情報を入力し（図５のステップ５１６）、その入力した画像情報をＨＤＤ６４ｂに記憶する（ステップ５１８）。そして、ＣＰＵ４０は、画像情報の読取完了を検出すると（図４のステップ３２６：Ｙｅｓ）、ＰＣ６４へ画像情報の読取完了を示す読取完了信号を出力し（ステップ３２８）、ＰＣ６４へ画像情報の読出命令を出力する（ステップ３３０）。一方、ＣＰＵ６４ａは、通信端末装置１から出力された読取完了信号を入力し（図５のステップ５２０：Ｙｅｓ）、読出命令を入力すると（ステップ５２４：Ｙｅｓ）、ＨＤＤ６４ｂに記憶されている画像情報を読出して通信端末装置１へ出力する（ステップ５２６）。そして、ＣＰＵ４０は、ＰＣ６４から出力された画像情報を入力し（ステップ３３２）、その入力した画像情報を記録ヘッド２０によって記録用紙にカラーの記録を行う（ステップ３３４）。
【００３３】
以上のように、本実施形態の通信端末装置１を用いれば、イメージスキャナ４５で読取った原稿の画像情報を総てＰＣ６４に備えられたＨＤＤ６４ｂに記憶させ、そのＨＤＤ６４ｂに記憶されている画像情報を読出して記録ヘッド２０によって記録用紙に記録を行うことができるため、イメージスキャナ４５で読取った画像情報を記憶するために、大きな記憶容量のＲＡＭ４４を必要としない。したがって、メモリのコストを低減することができる。
【００３４】
ところで、上記実施形態では、イメージスキャナ４５で読取った画像情報をＰＣ６４に備えられたＨＤＤ６４ｂに記憶する構成を採用したが、ＰＣに内蔵されたＨＤＤではなく、ＰＣ６４、または、通信端末装置１に外付けのＨＤＤ、ＭＯドライブ装置、ＣＤ−ＲＡＭに記憶する構成でもよい。また、上記実施形態では、各種メッセージを通信端末装置１の液晶表示部４に表示する構成を採用したが、通信端末装置１の所定箇所にＬＥＤを設け、そのＬＥＤを点灯させることによってメッセージの表示に代えることもできる。さらに、たとえば、「ピー」という音やメッセージの内容を示す音声を出力する構成でもよい。
【００３５】
またさらに、上記実施形態では、ＰＣ６４が記憶制御プログラムを立ち上げているか否かをチェックするためのチェック信号を、原稿センサ５１のＯＮを検出したタイミングで通信端末装置１からＰＣ６４へ出力する構成を採用したが（ステップ３０８）、通信端末装置１からＰＣ６４へ所定時間置きにチェック信号を出力するポーリング方式でもよい。さらに、ＰＣ６４から、記憶制御プログラムが立ち上がっていることを示す信号を通信端末装置１へ所定時間置きに出力するポーリング方式でもよい。そしてさらに、上記実施形態では、カラーコピーの準備ができていることを示すカラーコピー可能信号を通信端末装置１からＰＣ６４へ出力する構成を採用したが、通信端末装置１からＰＣ６４へ所定時間置きにカラーコピー可能信号を出力するポーリング方式でもよい。さらに、ＰＣ６４から、通信端末装置１がカラーコピーの準備ができているか否かをチェックするチェック信号を所定時間置きに出力するポーリング方式でもよい。また、上記実施形態では、記憶手段に記憶する情報としてイメージスキャナ４５で読取った画像情報を代表に説明したが、通信端末装置１に設けられた映像入力端子１０から入力される映像信号を記憶手段に記憶することもできる。その映像信号は、たとえば、ビデオカメラ、ビデオデッキ、デジタルカメラ、ＤＶＤプレーヤ、ＣＤ−ＲＯＭプレーヤ、ＣＲ−ＲＡＭプレーヤなどの映像機器から出力される映像信号である。
【００３６】
ところで、ＣＰＵ４０により実行されるステップ３０８が、請求項１に記載のチェック信号出力手段として機能し、請求項７に記載のチェック信号出力処理に対応する。ステップ３１６が請求項１に記載の判定手段として機能し、請求項７に記載の判定処理に対応する。ステップ３２２が請求項１に記載の情報記憶制御手段として機能し、請求項７に記載の情報記憶制御処理に対応する。ステップ３３２および３３４が、請求項１に記載の記録制御手段として機能し、請求項７に記載の記録制御処理に対応する。ステップ３２０が請求項２に記載のコピー可能信号出力手段として機能する。また、切替ボタン３ｅが請求項３に記載の切替手段に対応する。さらに、ＣＰＵ４０により実行されるステップ３１２が、請求項４に記載の報知手段として機能する。さらに、ＣＰＵ４０により実行されるステップ３２６〜３３０が、請求項６に記載の読出命令手段として機能する。
【００３７】
ところで、上記実施形態では、図４のフローチャートにより示される記憶再生制御を通信端末装置１に内蔵されたＣＰＵ４０に実行させたが、それらの制御および処理を実行するためのコンピュータプログラムが格納されたＣＤ−ＲＯＭやＦＤなどを上記ＰＣ６４でドライブし、上記コンピュータプログラムをインストールすることによって、上記記憶再生制御をＣＰＵ６４ａによって行う構成にすることもできる。この場合、上記ＣＤ−ＲＯＭやＦＤなどが、請求項６に記載の記憶媒体として機能する。また、上記実施形態では、本発明の記録手段として、インクジェットヘッド方式の記録ヘッド２０によって記録を行う構成を代表に説明したが、サーマルヘッド、レーザなどの他の記録方式で記録する構成でもよい。
【００３８】
【発明の効果】
以上のように、請求項１に記載の発明によれば、読取手段によって読取られた画像情報を通信端末装置内に記憶しないで外部に設けられたコンピュータの記憶手段に記憶させ、その記憶手段に記憶された画像情報を読出して記録用紙に記録することができるため、通信端末装置内に設けられた記憶手段の記憶容量を上記画像情報の記憶のために増大させる必要のない通信端末装置を実現できる。特に、カラーでコピーする場合は、読取手段によって読取られたカラーの画像情報をコンピュータの記憶手段に記憶させることができるため、発明が解決しようとする課題の欄で述べたような白黒の画像情報よりも情報量が多いカラーの画像情報に起因する従来の問題を解決することができる。
【００３９】
特に、請求項２に記載の発明によれば、読取手段および記録手段をそれぞれ駆動できる状態になっていることを示すコピー可能信号をコンピュータへ出力してから読取手段を駆動し、その読取手段によって読取られた記録媒体の画像情報をコンピュータへ出力して記憶手段に記憶させるため、コンピュータは、コピー可能信号を入力することにより、通信端末装置が読取手段および記録手段をそれぞれ駆動できる状態になっていることを検知することができる。
【００４０】
【００４１】
さらに、請求項３記載の発明によれば、この通信端末装置を使用する者は、上記報知手段による報知によって、コンピュータ側が画像情報を記憶手段へ記憶する準備ができていないことを通信端末装置側において知ることができるため、非常に便利である。
【００４２】
【００４３】
さらに、請求項６記載の発明に係る記憶媒体を通信端末装置内のＲＯＭとして設け、もしくは、その記憶媒体に格納されているコンピュータプログラムをコンピュータにインストールすることによって本発明の通信端末装置を実現することができる。
【図面の簡単な説明】
【図１】  本発明実施形態の通信端末装置の外観を示す斜視図である。
【図２】  図１に示す通信端末装置の主な制御系の構成をブロックで示す説明図である。
【図３】  ＣＰＵ４０により実行される主制御の内容を示すメインフローチャートである。
【図４】  図３のステップ３００の記録制御において実行される記憶再生制御の内容を示すフローチャートである。
【図５】  ＣＰＵ６４ａにより実行される記憶制御の内容を示すフローチャートである。
【符号の説明】
１      通信端末装置
３      操作パネル
４      液晶表示部（報知手段）
５      原稿セット部
７      記録用紙セット部
２０      記録ヘッド（記録手段）
４０      ＣＰＵ
４３      ＲＯＭ（記憶媒体）
４５      イメージスキャナ（読取手段）
６０      通信用モデム
【図１】
0004291895.tif 000002
【図２】
0004291895.tif 000003
【図３】
0004291895.tif 000004
【図４】
0004291895.tif 000005
【図５】
0004291895.tif 000006